【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
少なくとも第１インクと該第１インクとは記録媒体に対する浸透性の異なる第２インクを付与するための記録ヘッドを記録媒体に対して往復走査させて前記記録媒体に記録を行うためのインクジェット記録装置であって、
前記第１インクが付与されてから前記第２インクが付与される単位領域と前記第２インクが付与されてから前記第１インクが付与される単位領域とを前記記録媒体上で混在させて記録を行う記録制御手段を具備し、
前記記録制御手段は、先行して記録が行われる先行記録媒体の単位領域に対するインク付与量およびインク付与順序に基づいて、後続して記録が行われる後続記録媒体の記録動作中に当該記録の遅延制御を行うことを特徴とするインクジェット記録装置。
【請求項２】
前記記録制御手段は、前記先行記録媒体の前記単位領域に対するインク付与量およびインク付与順序に基づいて、前記単位領域に前記後続記録媒体が接触することを許容するまでの時間を決定する決定手段と、
前記決定手段により決定された時間内に、前記後続記録媒体が前記先行記録媒体の前記単位領域に接触しないよう前記後続記録媒体への記録動作中に当該記録の遅延制御を行う遅延制御手段と、
を備えることを特徴とする請求項１に記載のインクジェット記録装置。
【請求項３】
前記決定手段で用いられるインク付与量は、前記第１インクの付与量を含み前記第２インクの付与量を含まないことを特徴とする請求項２に記載のインクジェット記録装置。
【請求項４】
前記決定手段で用いられるインク付与量は、前記第１インクの付与量と前記第２インクの付与量を含むことを特徴とする請求項２に記載のインクジェット記録装置。
【請求項５】
前記記録制御手段は、前記先行記録媒体を複数に区画してなる単位領域毎にインク付与量を求め、該インク付与量が所定量を超える単位領域を検出する検出手段と、
前記検出手段により検出された単位領域に対するインク付与順序に基づいて、前記先行記録媒体の前記検出された単位領域に前記後続記録媒体が接触することを許容するまでの時間を決定する決定手段と、
前記決定手段により決定された時間内に、前記後続記録媒体が前記先行記録媒体の前記検出された単位領域に接触しないように前記後続記録媒体への記録動作中に当該記録の遅延制御を行う遅延制御手段と、
を備えることを特徴とする請求項１に記載のインクジェット記録装置。
【請求項６】
前記遅延制御手段は、時間の経過に伴って前記決定された時間を減算する減算手段と、該減算手段により減算された時間が０かどうかを確認する確認手段とを有し、前記減算手段により減算された時間が０でないことが前記確認手段により確認された場合に、前記記録の遅延制御を行うことを特徴とする請求項５に記載のインクジェット記録装置。
【請求項７】
前記検出手段は、前記単位領域に対するインク付与回数をカウントすることによって、前記インク付与量を求めることを特徴とする請求項５または６に記載のインクジェット記録装置。
【請求項８】
前記検出手段は、前記第１インクの付与量が所定量を超える単位領域を検出することを特徴とする請求項５乃至７のいずれかに記載のインクジェット記録装置。
【請求項９】
前記決定手段は、前記記録媒体の種類、環境温度、環境湿度のうちの少なくとも１つの条件に基づいて前記時間を決定する事を特徴とする請求項２または５に記載のインクジェット記録装置。
【請求項１０】
前記記録制御手段は、前記後続記録媒体に対する記録動作の一時的な停止、前記記録ヘッドの走査速度の変更、前記記録媒体の搬送速度の変更、前記記録媒体の搬送タイミングの変更のうちの少なくとも１つを実行することにより、前記記録の遅延制御を行うことを特徴とする請求項１乃至９のいずれかに記載のインクジェット記録装置。
【請求項１１】
前記第１インクは、前記第２インクとは異なる表面張力を有することを特徴とする請求項１乃至１０のいずれかに記載のインクジェット記録装置。
【請求項１２】
前記第１インクの表面張力は、前記第２インクの表面張力よりも大であることを特徴とする請求項１１に記載のインクジェット記録装置。
【請求項１３】
前記第１インクは、前記第２インクとは異なるＫａ値を有することを特徴とする請求項１乃至１０のいずれかに記載のインクジェット記録装置。
【請求項１４】
前記第１インクのＫａ値は、前記第２インクのＫａ値よりも小であることを特徴とする請求項１３に記載のインクジェット記録装置。
【請求項１５】
前記第１インクはブラックインクであり、且つ前記第２インクはカラーインクであり、且つ前記ブラックインクは前記カラーインクとは異なる浸透特性を示すことを特徴とする請求項１乃至１４のいずれかに記載のインクジェット記録装置。
【請求項１６】
前記第２インクは、前記第１インクの成分を凝集させる成分を含むことを特徴とする請求項１乃至１４のいずれかに記載のインクジェット記録装置。
【請求項１７】
少なくとも第１インクと当該第１インクよりも浸透速度の速い第２インクを付与するための記録ヘッドを記録媒体に対して往復走査させて記録媒体に記録を行うインクジェット記録装置であって、
前記第１インクが付与されてから前記第２インクが付与される単位領域と前記第２インクが付与されてから前記第１インクが付与される単位領域とを前記記録媒体上で混在させて記録を行う記録制御手段を具備し、
前記記録制御手段は、先行して記録が行われる記録媒体の単位領域に対する前記第１インクの付与量および前記第１インクと第２インクの付与順序に基づいて、後続して記録が行われる記録媒体への記録動作中に当該記録の遅延制御を行うことを特徴とするインクジェット記録装置。
【請求項１８】
少なくとも第１インクと当該第１インクよりも浸透速度の速い第２インクを付与するための記録ヘッドを記録媒体に対して往復走査させて記録媒体に記録を行うインクジェット記録装置であって、
前記第１インクが付与されてから前記第２インクが付与される単位領域と前記第２インクが付与されてから前記第１インクが付与される単位領域とを前記記録媒体上で混在させて記録を行う記録制御手段を具備し、
前記記録制御手段は、先行して記録が行われる記録媒体の単位領域に対する前記第１インクと第２インクの付与量および前記第１インクと第２インクの付与順序に基づいて、後続して記録が行われる記録媒体への記録動作中に当該記録の遅延制御を行うことを特徴とするインクジェット記録装置。
【請求項１９】
記録媒体に対する浸透性の異なる複数種類のインクを付与するための記録ヘッドを往復走査させて記録媒体に記録を行うインクジェット記録装置であって、
先行して記録が行われる先行記録媒体を複数に区画してなる単位領域毎にインク付与量を求め、当該インク付与量が所定量を超える領域を検出する検出手段と、
前記検出手段により検出された領域が記録される走査の方向に基づいて、前記先行記録媒体の前記検出された領域に後続して記録が行われる後続記録媒体が接触することを許容するまでの時間を決定する決定手段と、
前記検出手段により決定された時間内に、前記後続記録媒体が前記先行記録媒体の前記検出された領域に接触しないよう前記後続記録媒体への記録中に当該記録の遅延制御を行う遅延制御手段と、
を具備することを特徴とするインクジェット記録装置。
【請求項２０】
少なくとも第１インクと該第１インクとは記録媒体に対する浸透性の異なる第２インクを付与するための記録ヘッドを記録媒体に対して往復走査させて前記記録媒体に記録を行うためのインクジェット記録方法であって、
前記第１インクが付与されてから前記第２インクが付与される単位領域と前記第２インクが付与されてから前記第１インクが付与される単位領域とを前記記録媒体上で混在させて記録を行う記録制御工程を有し、
前記記録制御工程では、先行して記録が行われる先行記録媒体の単位領域に対するインク付与量およびインク付与順序に基づいて、後続して記録が行われる後続記録媒体の記録動作中に当該記録の遅延制御が行われることを特徴とするインクジェット記録方法。
【請求項２１】
少なくとも第１インクと該第１インクとは記録媒体に対する浸透性の異なる第２インクを付与するための記録ヘッドを記録媒体に対して往復走査させて前記記録媒体に記録を行うためのインクジェット記録システムであって、
前記第１インクが付与されてから前記第２インクが付与される単位領域と前記第２インクが付与されてから前記第１インクが付与される単位領域とを前記記録媒体上で混在させて記録を行う記録制御手段を具備し、
前記記録制御手段は、先行して記録が行われる先行記録媒体の単位領域に対するインク付与量およびインク付与順序に基づいて、後続して記録が行われる後続記録媒体の記録動作中に当該記録の遅延制御を行うことを特徴とするインクジェット記録システム。
【手続補正２】
【補正対象書類名】明細書
【補正対象項目名】００１４
【補正方法】変更
【補正の内容】
【００１４】
そのために本発明においては、少なくとも第１インクと該第１インクとは記録媒体に対する浸透性の異なる第２インクを付与するための記録ヘッドを記録媒体に対して往復走査させて前記記録媒体に記録を行うためのインクジェット記録装置であって、前記第１インクが付与されてから前記第２インクが付与される単位領域と前記第２インクが付与されてから前記第１インクが付与される単位領域とを前記記録媒体上で混在させて記録を行う記録制御手段を具備し、前記記録制御手段は、先行して記録が行われる先行記録媒体の単位領域に対するインク付与量およびインク付与順序に基づいて、後続して記録が行われる後続記録媒体の記録動作中に当該記録の遅延制御を行うことを特徴とする。
【手続補正３】
【補正対象書類名】明細書
【補正対象項目名】００１７
【補正方法】変更
【補正の内容】
【００１７】
また、記録媒体に対する浸透性の異なる複数種類のインクを付与するための記録ヘッドを往復走査させて記録媒体に記録を行うインクジェット記録装置であって、先行して記録が行われる先行記録媒体を複数に区画してなる単位領域毎にインク付与量を求め、当該インク付与量が所定量を超える領域を検出する検出手段と、前記検出手段により検出された領域が記録される走査の方向に基づいて、前記先行記録媒体の前記検出された領域に後続して記録が行われる後続記録媒体が接触することを許容するまでの時間を決定する決定手段と、前記検出手段により決定された時間内に、前記後続記録媒体が前記先行記録媒体の前記検出された領域に接触しないよう前記後続記録媒体への記録中に当該記録の遅延制御を行う遅延制御手段と、を具備することを特徴とする。
【手続補正４】
【補正対象書類名】明細書
【補正対象項目名】００１８
【補正方法】変更
【補正の内容】
【００１８】
更に、少なくとも第１インクと該第１インクとは記録媒体に対する浸透性の異なる第２インクを付与するための記録ヘッドを記録媒体に対して往復走査させて前記記録媒体に記録を行うためのインクジェット記録方法であって、前記第１インクが付与されてから前記第２インクが付与される単位領域と前記第２インクが付与されてから前記第１インクが付与される単位領域とを前記記録媒体上で混在させて記録を行う記録制御工程を有し、前記記録制御工程では、先行して記録が行われる先行記録媒体の単位領域に対するインク付与量およびインク付与順序に基づいて、後続して記録が行われる後続記録媒体の記録動作中に当該記録の遅延制御が行われることを特徴とする。
【手続補正５】
【補正対象書類名】明細書
【補正対象項目名】００１９
【補正方法】変更
【補正の内容】
【００１９】
更にまた、少なくとも第１インクと該第１インクとは記録媒体に対する浸透性の異なる第２インクを付与するための記録ヘッドを記録媒体に対して往復走査させて前記記録媒体に記録を行うためのインクジェット記録システムであって、前記第１インクが付与されてから前記第２インクが付与される単位領域と前記第２インクが付与されてから前記第１インクが付与される単位領域とを前記記録媒体上で混在させて記録を行う記録制御手段を具備し、前記記録制御手段は、先行して記録が行われる先行記録媒体の単位領域に対するインク付与量およびインク付与順序に基づいて、後続して記録が行われる後続記録媒体の記録動作中に当該記録の遅延制御を行うことを特徴とする。